(57)【要約】【課題】手元での吐水または止水操作が行えて、シャワー水の吐水時に外気をシャワー水中に混合させることができて節水も行えるシャワーヘッドを、簡単な構成によって提供すること。【解決手段】シャワーホースからの湯水をシャワー口２０に通す通水口４１を切替軸４０内に形成するとともに、通水口４１とシャワーヘッドの外部とを連通させる連通路４２を切替軸４０内に形成して、当該シャワーヘッドによるシャワー水の吐水時に、外気を連通路４２を通して通水口４１内に吸引し得るようにしたこと。【選択図】図４
2010110354.tif 000002
【特許請求の範囲】
【請求項１】
シャワーホースの先端に取り付けられて、ヘッド本体の内部に収納した切替軸を進退させることにより、前記シャワーホースから給送されてくる湯水をシャワー口からシャワー水として吐水し、または止水するようにしたシャワーヘッドにおいて、
前記シャワーホースからの湯水を前記シャワー口に通す通水口を前記切替軸内に形成するとともに、前記通水口とシャワーヘッドの外部とを連通させる連通路を前記切替軸内に形成して、当該シャワーヘッドによるシャワー水の吐水時に、外気を前記連通路を通して通水口内に吸引し得るようにしたことを特徴とするシャワーヘッド。
【請求項２】
前記連通路に連通してシャワーヘッドの外部に開口する空気穴を前記ヘッド本体に形成し、かつ、この空気穴の周囲に突起を形成して、この突起によって空気穴が使用時に塞がれないようにしたことを特徴とする請求項１に記載のシャワーヘッド。
【請求項３】
前記連通路内にボールを収納して、このボールによって連通路の外気への連通を塞ぎ得るようにしたことを特徴とする請求項１または請求項２に記載のシャワーヘッド。
【請求項４】
前記ヘッド本体内に、第１分流板または第２分流板の内のいずれか少なくとも１つを形成して、この少なくとも１つの分流板によって前記切替軸の通水口から給送されてきた湯水と外気との混合流を整流するようにしたことを特徴とする請求項１〜請求項３のいずれか１項に記載のシャワーヘッド。
【発明の詳細な説明】
【技術分野】
【０００１】
本発明は、手元でのシャワーの吐水と止水の切替えを行えるシャワーヘッドに関し、特に、シャワー水中に外気、つまり空気を導入して軽い刺激のあるシャワー水の吐水、及び節水が行えるシャワーヘッドに関するものである。
【背景技術】
【０００２】
シャワーホースの先端に取り付けられて、このシャワーホースから給送されてくる湯水をシャワー口からシャワー水として吐水するようにしたシャワーヘッドは種々知られている。このようなシャワーヘッドは、シャワーホースの給湯管等の接続元において吐水または止水操作を行うのは少し不便なため、手元での吐水または止水操作が行えるようにすると便利である。そのようにしたものが、例えば特許文献１あるいは特許文献２に提案されている。
【０００３】
特許文献１にて提案されているシャワーヘッドでは、図１１にも示すように、開閉弁６を進退させることにより、シャワーヘッドを持った手元で、シャワーヘッドでの吐水または止水を操作できるようにした便利なものである。また、特許文献２にて提案されているシャワーヘッドも、図１２にも示すように、スプール軸４０を進退させることにより、シャワーヘッドを持った手元で、シャワーヘッドでの吐水または止水を操作できるようにした便利なものである。
【特許文献１】特開平１０−２８９００号公報、要約
【特許文献２】特開平９−３１３３９０号公報、要約
【発明の開示】
【発明が解決しようとする課題】
【０００４】
ところで、シャワー水は、これを連続的に吐水させるよりも、断続的に吐水させた方が軽い刺激を得ることができて、人の肌や頭皮の血行をよくすることが知られている。勿論、空気がシャワー水中に混合されれば、この空気の分だけ湯水が節約できることは言うまでもない。
【０００５】
シャワー水を断続的に吐水させる方法としては種々考えられるが、現在のところ一般的に採用されているのが、外気つまり空気をシャワー水中に混合することである。このような、シャワー水を断続させて人の肌によい刺激を与えるようにできると、この種のシャワーヘッドも非常に有効になると考えられるが、上記の特許文献１あるいは特許文献２に記載されたシャワーヘッドは、そのような機能を発揮することができないものとなっている。
【０００６】
そこで、本発明者等は、手元での吐水または止水操作ができて、吐水時には外気をシャワー水中に混合させることのできるシャワーヘッドとするにはどうしたらよいか、について種々検討を重ねてきた結果、本発明を完成したのである。
【０００７】
すなわち、本発明が第１に目的とするところは、手元での吐水または止水操作が行えて、シャワー水の吐水時に外気をシャワー水中に混合させることができて節水も行えるシャワーヘッドを、簡単な構成によって提供することにある。
【０００８】
また、本発明が第２に目的とするところは、上記第１の目的を達成しながら、手で完全に包み込んでしまっても、シャワー吐水時の外気の導入が阻害されないようすることのできるシャワーヘッドを提供することにある。
【０００９】
さらに、本発明が第３に目的とするところは、上記第１及び第２の目的を達成しながら、外気導入に伴う異音の発生を抑制することのできるシャワーヘッドを提供することにある。
【課題を解決するための手段】
【００１０】
以上の課題を解決するために、まず、請求項１に係る発明の採った手段は、後述する最良形態の説明中で使用する符号を付して説明すると、
「シャワーホース２００の先端に取り付けられて、ヘッド本体１０の内部に収納した切替軸４０を進退させることにより、シャワーホース２００から給送されてくる湯水をシャワー口２０からシャワー水として吐水し、または止水するようにしたシャワーヘッド１００において、
シャワーホース２００からの湯水をシャワー口２０に通す通水口４１を切替軸４０内に形成するとともに、通水口４１とシャワーヘッド１００の外部とを連通させる連通路４２を切替軸４０内に形成して、当該シャワーヘッド１００によるシャワー水の吐水時に、外気を連通路４２を通して通水口４１内に吸引し得るようにしたことを特徴とするシャワーヘッド１００」
である。
【００１１】
すなわち、この請求項１に係るシャワーヘッド１００は、図１に示すように、シャワーホース２００の先端に取り付けられるものであり、このシャワーホース２００から給送されてくる湯水をシャワー口２０からシャワー水として吐水し、または止水するものである。また、このシャワーヘッド１００は、図４及び図５に示すように、ヘッド本体１０の内部に切替軸４０を収納したものであり、この切替軸４０の進退をヘッド本体１０を握った手で行えるようにしたものである。
【００１２】
つまり、この請求項１に係るシャワーヘッド１００は、まず、そのヘッド本体１０内に収納した切替軸４０を手元で進退させることができるようにしたものであり、これにより、シャワー水の吐水または止水をヘッド本体１０を握ったままの手で行えるようにしたものである。
【００１３】
そして、この請求項１に係るシャワーヘッド１００では、図４及び図５の各（ａ）に示すように、使用者が手元で進退させることのできる切替軸４０内には、シャワーホース２００からの湯水をシャワー口２０に通す通水口４１と、この通水口４１とシャワーヘッド１００の外部とを連通させる連通路４２とが形成してあり、この連通路４２を通して、当該シャワーヘッド１００によるシャワー水の吐水時に、外気が通水口４１内に吸引される。何故なら、通水口４１内は、ここを湯水が流れることによって「負圧」が発生するのであり、この負圧によって外気が連通路４２を通して吸引されることになるからである。
【００１４】
以上の吐水状態を図５の（ａ）を参照して説明すると、使用者が切替軸４０を押して「吐水状態」にすれば、この切替軸４０の通水口４１がシャワーホース２００側に開口することになり、シャワーホース２００からの湯水は、この通水口４１を介してヘッド本体１０内部である分散空間１０ａ内に流入する。このとき、通水口４１内には、湯水の流れのよる負圧が形成される。
【００１５】
この負圧状態になっている通水口４１には、切替軸４０に設けてある連通路４２が連通していて、この連通路４２の先は外気に通じているから、外気が通水口４１内の負圧によって当該通水口４１内に流入する。そして、この吸引された外気は、通水口４１内を流れている湯水中に混入され、湯水とともにヘッド本体１０の分散空間１０ａ内に流れ込むのである。
【００１６】
分散空間１０ａ内に流れ込んだ湯水と外気（つまり空気）は、この分散空間１０ａの開口部に取り付けてあるシャワー口２０の分水板２１からシャワー水として吐水される。勿論、分水板２１には多数の小さな穴が形成してあって、これらの穴からシャワー水として吐水されることは、従来のシャワーヘッドと同様である。
【００１７】
一方、使用者が切替軸４０を逆に押して「止水状態」にすれば、切替軸４０は、図４の（ａ）に示す状態になって、通水口４１がシャワーホース２００側に開口しなくなる。このため、シャワーホース２００側からの湯水の分散空間１０ａ内への供給は止まり、シャワー水の吐水、及び外気の連通路４２内への吸引が停止されることは言うまでもない。
【００１８】
なお、連通路４２の外気側が開口したままであると、切替軸４０とヘッド本体１０との間から湯水が漏れたりする可能性があるため、この連通路４２に「逆止弁」を設けるようにして実施してもよく、後述する最良形態のように、ボール５０によってこの連通路４２を閉じるように実施してもよい。
【００１９】
従って、この請求項１に係るシャワーヘッド１００は、手元での吐水または止水操作が行えて、その使用がし易いものであるだけでなく、シャワー水の吐水時に外気をシャワー水中に混合させることができて、節水しながら、人の肌に血行を促進する刺激を与えるシャワー水の吐水が行えるものとなっているのである。
【００２０】
また、上記課題を解決するために、請求項２に係る発明の採った手段は、上記請求項１に記載のシャワーヘッド１００について、
「連通路４２に連通してシャワーヘッド１００の外部に開口する空気穴３２をヘッド本体１０に形成し、かつ、この空気穴３２の周囲に突起３３を形成して、この突起３３によって空気穴３２が使用時に塞がれないようにしたこと」
である。
【００２１】
すなわち、この請求項２に係るシャワーヘッド１００は、図５の（ａ）及び図１０に示すように、上述した連通路４２に連通してシャワーヘッド１００の外部に開口する空気穴３２をヘッド本体１０に形成し、かつ、この空気穴３２の周囲に突起３３を形成したものである。
【００２２】
これらの突起３３は、空気穴３２の周囲に突出しているから、この空気穴３２が形成してあるヘッド本体１０の全体を手で握った場合に、手指がヘッド本体１０の表面に密着することを防止することになるものである。その結果、これらの突起３３によって周囲が囲まれた空気穴３２が、手指によって塞がれることがなくなり、当該空気穴３２を通した外気のヘッド本体１０内への流入状態が確保されることになるのである。
【００２３】
ヘッド本体１０に設けた空気穴３２が塞がれないことは、当該シャワーヘッド１００の使用時における空気を含んだシャワー水の吐水を、節水しながら安定的に行えることを意味し、当該シャワーヘッド１００の使用時に当該シャワーヘッド１００をどのように持とうが、シャワー水による肌への刺激を持続させることができるのである。
【００２４】
従って、この請求項２のシャワーヘッド１００は、上記請求項１のそれと同様な機能を発揮する他、ヘッド本体１０に形成してある空気穴３２が手指で塞がれることを防止して、当該シャワーヘッド１００をどのように持とうが、節水しながら、シャワー水による肌への刺激を持続させ得るものとなっているのである。
【００２５】
さらに、上記課題を解決するために、請求項３に係る発明の採った手段は、上記請求項１または請求項２に記載のシャワーヘッド１００について、
「連通路４２内にボール５０を収納して、このボール５０によって連通路４２の外気への連通を塞ぎ得るようにしたこと」
である。
【００２６】
すなわち、この請求項３に係るシャワーヘッド１００は、図４及び図５の各（ａ）に示すように、上述した切替軸４０の連通路４２内にボール５０を収納したものであり、このボール５０が、当該シャワーヘッド１００の止水時に、連通路４２の外気への連通を塞ぐようにしたものである。
【００２７】
このボール５０は、切替軸４０の連通路４２内に湯水が流入して、この連通路４２の開口または上記空気穴３２から外に出ようとする場合に、この湯水の流れによって開口または空気穴３２に向けて押し流されるものであり、最終的に連通路４２の開口または空気穴３２を塞ぎ、湯水が開口または空気穴３２から外に出るのを防止するものである。
【００２８】
湯水が連通路４２の開口または上記空気穴３２から外に出ようとするのには次の場合がある。まず第１に、使用者が、当該シャワーヘッド１００の使用中にシャワー口２０の分水板２１に不用意に手を触れる場合である。つまり、吐水しているシャワー口２０の分水板２１を不用意に塞ぐと、それまで吐水されていたシャワー水に負荷が掛かるため、このシャワー水が切替軸４０の連通路４２内に逆流する場合である。
【００２９】
第２には、当該シャワーヘッド１００の止水状態から吐水状態への切替直後である。このときには、切替軸４０の通水口４１内には十分な負圧が発生していないため、シャワー水がシャワー口２０側から出ることもあるが、一部のシャワー水が連通路４２の開口または空気穴３２から出ようとすることがあり、この場合に、当該ボール５０によって連通路４２の開口または空気穴３２を塞ぐようにするのである。
【００３０】
従って、この請求項３に係るシャワーヘッド１００は、上記請求項１または２のそれと同様な機能を発揮する他、ボール５０によって、連通路４２の開口または空気穴３２からの不用意なシャワー水漏れを防止し得るものとなっているのである。
【００３１】
そして、上記課題を解決するために、請求項４に係る発明の採った手段は、上記請求項１〜請求項３のいずれか１項に記載のシャワーヘッド１００について、
「ヘッド本体１０内に、第１分流板１３または第２分流板１４の内のいずれか少なくとも１つを形成して、この少なくとも１つの分流板１３または１４によって切替軸４０の通水口４１から給送されてきた湯水と外気との混合流を整流するようにしたこと」
である。
【００３２】
すなわち、この請求項４に係るシャワーヘッド１００は、図４の（ｂ）等に示すように、ヘッド本体１０内に、第１分流板１３または第２分流板１４のいずれか少なくとも１つを形成したものである。この場合、第１分流板１３については、図７の（ｂ）に示すように、ヘッド本体１０の分散空間１０ａ内に当該ヘッド本体１０と一体的に形成したものであり、図６の（ｃ）に示すように、分散空間１０ａの先端内側に複数（後述する最良形態では４枚）形成したものである。一方、第２分流板１４については、図４及び図５の各（ｂ）にて示すように、上記第１分流板１３と平行にした複数の第２分流板１４を、ヘッド本体１０の分散空間１０ａ内に収納して取り付けられる１つの取付台１４ａに組み付けて、これをヘッド本体１０の分散空間１０ａ内に収納するようにしたものである。
【００３３】
これらの第１分流板１３及び第２分流板１４は、図４及び図５の各（ｂ）に示すように、それぞれの間に空間を形成するものであり、これらの空間をヘッド本体１０の分散空間１０ａ内に開放するものである。これらの第１分流板１３及び第２分流板１４によって形成される空間には、切替軸４０の通水口４１から分散空間１０ａ内に給送されてきた空気を含む湯水が噴射され、噴射された湯水等を各第１分流板１３または第２分流板１４が「整流」するのである。つまり、これらの第１分流板１３または第２分流板１４は、ヘッド本体１０の分散空間１０ａ内にて、空気及び湯水の「乱流または渦流」を形成しないで、切替軸４０の通水口４１から分散空間１０ａ内に給送されてきた空気を含む湯水を、直ちにシャワー口２０の分水板２１から整流された状態で吐出するのである。
【００３４】
もし、ヘッド本体１０の分散空間１０ａ内に、シャワー水による「乱流または渦流」が形成されたとすると、これによってヘッド本体１０内に大きな異音が発生することになる。ところが、この請求項４のシャワーヘッド１００では、そのヘッド本体１０内に第１分流板１３または第２分流板１４の何れか少なくとも一方が配置されているから、これらの第１分流板１３または第２分流板１４によって、異音の発生が抑制されることになるのである。
【００３５】
従って、この請求項４に係るシャワーヘッド１００は、上記請求項１〜３のそれと同様な機能を発揮する他、第１分流板１３または第２分流板１４によって、ヘッド本体１０内にての異音の発生が抑制されたものとなっているのである。
【発明の効果】
【００３６】
以上、説明した通り、本発明においては、
「シャワーホース２００の先端に取り付けられて、ヘッド本体１０の内部に収納した切替軸４０を進退させることにより、シャワーホース２００から給送されてくる湯水をシャワー口２０からシャワー水として吐水し、または止水するようにしたシャワーヘッド１００において、
シャワーホース２００からの湯水をシャワー口２０に通す通水口４１を切替軸４０内に形成するとともに、通水口４１とシャワーヘッド１００の外部とを連通させる連通路４２を切替軸４０内に形成して、当該シャワーヘッド１００によるシャワー水の吐水時に、外気を連通路４２を通して通水口４１内に吸引し得るようにしたこと」
にその構成上の主たる特徴がありボール５０これにより、手元での吐水または止水操作を行うことができて、使用上の利便性を高いものとすることができることは勿論、シャワー水の吐水時に外気をシャワー水中に混合させて、節水しながら、シャワー水を受ける肌に血行をよくする軽い刺激を与えることのできるシャワーヘッド１００を、簡単な構成によって提供することができるのである。
【発明を実施するための最良の形態】
【００３７】
次に、以上のように構成した各請求項に係る発明を、図面に示した最良の形態であるシャワーヘッド１００について説明するが、この最良形態に係るシャワーヘッド１００は、上記各請求項に係る発明の全てを含むものである。
【００３８】
さて、図１には、本発明に係るシャワーヘッド１００の側面図が示してあり、このシャワーヘッド１００は、図示しない給湯器や吸水管に接続されたシャワーホース２００の先端に取り付けられるものである。このシャワーヘッド１００のシャワーホース２００に対する取付あるいは取り外しは、シャワーヘッド１００を構成するヘッド本体１０のホース接続部１１の左右両側面に形成してある面取り１１ａを利用する。すなわち、図１及び図６の（ｂ）に示したように、ヘッド本体１０を構成してるホース接続部１１の左右両側面には面取り１１ａがそれぞれ形成してあり、これらの面取り１１ａを手または図示しない工具で挟み込んでヘッド本体１０を固定し、シャワーホース２００を回転させれば、このシャワーヘッド１００のシャワーホース２００に対する取付あるいは取り外しは、簡単に行うことができる。
【００３９】
このシャワーヘッド１００のヘッド本体１０には、図７の（ａ）及び（ｂ）に示したように、挿入部１２が形成してあり、この挿入部１２内の挿入口１２ａには、図８に示した切替軸４０が、図４及び図５に示したように、挿入されるのである。なお、挿入部１２の挿入口１２ａ内に挿入された切替軸４０の両端には、図４及び図５の各（ｂ）に示したように、図９及び図１０に示した第１切換ボタン３０ａ及び第２切換ボタン３０ｂが外から嵌合固定される。
【００４０】
また、挿入部１２内の挿入口１２ａの一方側には、図７の（ａ）に示したように、位置決め溝１２ｂが形成してあり、この位置決め溝１２ｂには、図８の（ｂ）及び（ｅ）に示した切替軸４０側の位置決め突起４３が挿入され、これにより、切替軸４０の挿入口１２ａ内での回転止めが行えるようにしてある。さらに、このヘッド本体１０のホース接続部１１と挿入口１２ａとの境界部分には、図７にも示したように、連通孔１２ｃが形成してあり、この連通孔１２ｃによってシャワーホース２００からの湯水が切替軸４０を介してヘッド本体１０の分散空間１０ａ内に流入し得るようにしてある。
【００４１】
以上のヘッド本体１０内に形成してある分散空間１０ａ内には、図６の（ｃ）にも示したように、複数の第１分流板１３が一体的に形成してあるが、これらの第１分流板１３はシャワーホース２００側から給送されてきた湯水や外気つまり空気の整流を行うものである。このような整流を行うものとして、本最良形態に係るシャワーヘッド１００では、ヘッド本体１０のシャワー口２０が取り付けられる部分内に収納した第２分流板１４も用意している。この第２分流板１４は、上記第１分流板１３と同数程度の複数用意しておいて、本最良形態では、これらをヘッド本体１０内に収納固定される取付台１４ａに一体化するようにしている。
【００４２】
そして、このヘッド本体１０のシャワーホース２００が接続されることになるホース接続部１１内には、例えば図４に示したように、流量調整弁１５が収納される。この流量調整弁１５は、その中心の通水口によって、シャワーホース２００から送られてきた湯水の流量を一定にするものであり、この通水口は、ヘッド本体１０に形成してある上述した連通孔１２ｃと中心を一にするものである。なお、この流量調整弁１５は、その通水口の大きさが種々なものとして用意されるものであり、当該シャワーヘッド１００の使用状況に合わせた大きさの通水口のものが使用できるようになっている。
【００４３】
勿論、このヘッド本体１０の分散空間１０ａの開口部には、図１〜図３、あるいは図４の（ｂ）等に示したように、シャワー口２０が取り付けられる。このシャワー口２０は、図４の（ｂ）にも示したように、多数の穴を形成した分水板２１を有するものであり、この分水板２１の各穴からシャワー水が吐水されるものである。
【００４４】
さて、このヘッド本体１０の挿入口１２ａ内に挿入される切替軸４０について説明すると、この切替軸４０は、図８にも示したように、オーリングや止水カーラー４４を嵌合する段部や、ヘッド本体１０側に形成した位置決め溝１２ｂ内に係合する位置決め突起４３を有した円柱状のものである。
【００４５】
また、この切替軸４０内には、通水口４１及び連通路４２が形成してあり、通水口４１の連通孔１２ｃ側端部は、図８の（ｃ）に示したように現れ、通水口４１の分散空間１０ａ側端部は、図８の（ａ）に示したように現れる。一方、連通路４２については、図８の（ｄ）に示したように、図示上方に形成してあり、この連通路４２と通水口４１とは、図４及び図５の各（ａ）にて示したように、連通孔４２ａによって連通するものである。なお、切替軸４０の下部には、図８の（ｄ）に示したように、上記連通路４２と同様な空間が形成してあるが、この空間は単に当該切替軸４０を形成する材料の軽減を図るものである。
【００４６】
この連通路４２の外側に位置する段部内には、上述した止水カーラー４４が嵌合されるが、この止水カーラー４４は、例えば図４に示したように、当該シャワーヘッド１００の「一時止水時」に、ヘッド本体１０側の連通孔１２ｃの連通を「緩く」遮断するために使用されるものである。つまり、この止水カーラー４４は、切替軸４０の段部に嵌合された円筒状のものであるから、ヘッド本体１０側の連通孔１２ｃの内端面を平らなままにしておけば、この連通孔１２ｃの内端面と止水カーラー４４との間には少しの隙間が形成でき、この隙間から湯水をシャワー口２０側から少しずつ出すのである。
【００４７】
この止水カーラー４４は、当該シャワーヘッド１００側での「一時止水」を、シャワー口２０からのシャワー水の洩出をある程度許容しながら行うものである。そのようにした理由は、もし当該シャワーヘッド１００側で「完全止水」がなされたとすると、シャワーホース２００内にこれが接続されている湯水混合栓等からの圧力がそのまま掛かることになり、「一時止水」時間が長くなるとシャワーホース２００が破裂することもあり得るが、このようなシャワーホース２００の破裂や破損を避けるためである。
【００４８】
シャワー水の「完全止水」を行うのは、シャワーホース２００が接続されている湯水混合栓等の「元」側なのであるが、この「元」を締めることは、当然のことながら当該シャワーヘッド１００側での「手元止水あるいは一時止水」とは別作業である。この種のシャワーヘッド１００は、理髪店や美容院等の業務用としても使用されるものであるが、このような業務用として使用する場合、完全止水を一々行っていてはそれだけでも手間が掛かって業務に支障を来すことになる。勿論、一般家庭で使用する場合も、止水をしなければならない場合は何度もあるが、その都度シャワーホースの「元」側での「完全止水」を行うことは非常に面倒である。
【００４９】
この点、本発明に係るシャワーヘッド１００は、止水カーラー４４を採用したことによって、シャワー水の手元止水時において、シャワー口２０からシャワー水が少しずつ出るようにしてシャワーホース２００への負荷軽減を図り、さらには、この手元止水が「完全止水」ではないことを示すようにしているのである。そして、「完全止水」が必要な場合に、シャワー口２０からシャワー水が少しずつ出ていれば、湯水混合栓等の「元」での止水を促すことになるものである。
【００５０】
また、上記の切替軸４０の図示上端部には、上記連通路４２を塞ぐように、図１０に示した第２切換ボタン３０ｂが嵌合され、図示下端部には、図９に示した第１切換ボタン３０ａが嵌合される。この第１切換ボタン３０ａは、図９の（ｃ）に示したように、嵌合部３１を有していて、この嵌合部３１を切替軸４０の下部外側に嵌合することにより、当該切替軸４０に取り付けられ、その図９の（ａ）に示したボタン部が、図１に示したようにシャワーヘッド１００の外部に露出することになるのである。
【００５１】
一方、第２切換ボタン３０ｂは、図１０の（ｃ）に示したように、上記第１切換ボタン３０ａの嵌合部３１と同じ嵌合部３１を設けたものであるが、そのボタン部に空気穴３２と突起３３とを設けたことが、第１切換ボタン３０ａとは異なるものである。本最良形態の第２切換ボタン３０ｂでは、図１０の（ａ）及び（ｃ）に示したように、１個の空気穴３２を中心に形成したものであるが、この空気穴３２の直径は後述するボール５０のそれより小さなものとして、ボール５０による当該空気穴３２の塞ぎが十分可能となるようにしてある。
【００５２】
この第２切換ボタン３０ｂの空気穴３２の周囲には、図１０の（ａ）に示したように、空気穴３２を取り囲むように、複数（本最良形態では４個）の突起３３が形成してあり、これら各突起３３は、図１０の（ｂ）及び（ｃ）に示したように、所定の高さ（本最良形態では約２ｍｍ）で外方に突出したものである。つまり、これらの突起３３は、当該第２切換ボタン３０ｂを指で押さえる場合に痛さを感じさせるものではないが、当該シャワーヘッド１００によりシャワー水の吐水時には、当該第２切換ボタン３０ｂを不用意に押さえたとしても空気穴３２を塞ぐことを防止するものである。
【００５３】
以上の第１切換ボタン３０ａ及び第２切換ボタン３０ｂは、ヘッド本体１０の挿入口１２ａ内に挿入した切替軸４０の両端部に、各嵌合部３１を利用して嵌合することにより取り付けられるものであるが、特に、第２切換ボタン３０ｂを連通路４２の外端部に取り付ける際には、この連通路４２内にボール５０が挿入される。ボール５０は、一種の逆止弁の役目を果たすものであり、連通路４２内にシャワー水の圧力が不用意に加わった場合、この圧力によって空気穴３２の内側に当接して、当該空気穴３２からシャワー水の外側への洩出を防止するものである。
【産業上の利用可能性】
【００５４】
このシャワーヘッド１００は、理髪店や美容院での業務用として使用するのに非常に適しており、理髪店や美容院の営業を効率的に行えるものともなる。何故なら、図１にも示したように、ホース接続部１１を非常に短くして、ヘッド本体１０自体を掌で包み込めるような小さなものとすることができるから、お客様の頭部に、シャワー口２０を近接させた状態でしかもあらゆる角度でシャワー水の噴射が行え、使用する湯水の節約が行えるだけでなく、お客様の衣服などを濡らしてしまうことがないからである。
【００５５】
勿論、このシャワーヘッド１００は、切替軸４０の切替操作をヘッド本体１０を握ったまま行えるため、その吐水あるいは止水操作が非常に短時間で簡単におこなえるだけでなく、使用中にシャワー口２０の分水板２１を手で塞いだとしても、空気穴３２からのシャワー水の洩出がないため、お客様の衣服などを濡らしてしまうこともないから、理髪店や美容院の営業を効率的に行えるのである。
【図面の簡単な説明】
【００５６】
【図１】本発明に係るシャワーヘッドをシャワーホースの先端に接続した状態を示す側面図である。
【図２】同シャワーヘッドを示すもので、（ａ）は平面図、（ｂ）は底面図である。
【図３】同シャワーヘッドの背面図である。
【図４】同シャワーヘッドの止水時を示すもので、（ａ）は図１中の１−１線に沿ってみた横断面図、（ｂ）は図３中の２−２線に沿ってみた縦断面図である。
【図５】同シャワーヘッドの吐水時を示すもので、（ａ）は図１中の１−１線に沿ってみた横断面図、（ｂ）は図３中の２−２線に沿ってみた縦断面図である。
【図６】同シャワーヘッドを構成しているヘッド本体を示すもので、（ａ）は側面図、（ｂ）は背面図、（ｃ）は底面図である。
【図７】同シャワーヘッドを構成しているヘッド本体を示すもので、（ａ）は横断面図、（ｂ）は縦断面図である。
【図８】同シャワーヘッドを構成している切替軸を拡大して示すもので、（ａ）は正面図、（ｂ）は側面図、（ｃ）は背面図、（ｄ）は（ｃ）中の３−３線に沿ってみた断面図、（ｅ）は平面図、（ｆ）は通水口を横断してみた切替軸の横断面図である。
【図９】切替軸に嵌合される第１切換ボタンを拡大して示すもので、（ａ）は平面図、（ｂ）は正面図、（ｃ）は（ａ）中の４−４線に沿って見た縦断面図である。
【図１０】切替軸に嵌合される第２切換ボタンを拡大して示すもので、（ａ）は平面図、（ｂ）は正面図、（ｃ）は（ａ）中の５−５線に沿って見た縦断面図である。
【図１１】従来技術を示す部分拡大断面図である。
【図１２】従来の他の技術を示す部分拡大断面図である。
【符号の説明】
【００５７】
１００    シャワーヘッド
１０    ヘッド本体
１０ａ  分散空間
１１    ホース接続部
１１ａ  面取り
１２    挿入部
１２ａ  挿入口
１２ｂ  位置決め溝
１２ｃ  連通孔
１３    第１分流板
１４    第２分流板
１４ａ  取付台
１５    流量調整弁
２０    シャワー口
２１    分水板
３０ａ  第１切換ボタン
３０ｂ  第２切換ボタン
３１    嵌合部
３２    空気穴
３３    突起
４０    切替軸
４１    通水口
４２    連通路
４２ａ  連通孔
４３    位置決め突起
４４    止水カーラー
５０    ボール
２００    シャワーホース
【図１】
2010110354.tif 000003
【図２】
2010110354.tif 000004
【図３】
2010110354.tif 000005
【図４】
2010110354.tif 000006
【図５】
2010110354.tif 000007
【図６】
2010110354.tif 000008
【図７】
2010110354.tif 000009
【図８】
2010110354.tif 000010
【図９】
2010110354.tif 000011
【図１０】
2010110354.tif 000012
【図１１】
2010110354.tif 000013
【図１２】
2010110354.tif 000014